(57)【特許請求の範囲】
【請求項１】
光パスリンクとパケットスイッチとで構成されるパケットネットワークと，前記パケットネットワークを収容しファイバリンクと光スイッチとで構成される光ネットワークとからなる複数階層ネットワークにおいて光パスを新設する方法であって，
特定対地間パケットトラフィックの収容を，低優先トラフィックと高優先トラフィックの二つのトラフィックの優先度に応じて変化させ，
低優先トラフィックに対しては，前記パケットネットワークから見た光パスリンクコストが最小となる経路を探索することで行い，
光パスの新設は，当該パケットトラフィックが既設光パスで目的地に到達することが不可能な場合に初めて行う一方で，
高優先トラフィックに対しては，前記光ネットワークから見たファイバリンクコストが最小となる経路を探索することで行い，
光パスの新設は，当該パケットトラフィック経路上の既設光パスで目的地に到達することが不可能な場合に初めて行う
ことを特徴とする光パス新設方法。
【請求項２】
光パスリンクとパケットスイッチとで構成されるパケットネットワークと，前記パケットネットワークを収容しファイバリンクと光スイッチとで構成される光ネットワークとからなる複数階層ネットワークにおいて光パスを新設する方法であって，
特定対地間パケットトラフィックの収容を，低優先トラフィックと高優先トラフィックの二つのトラフィックの優先度に応じて変化させ，
低優先トラフィックに対しては，前記パケットネットワークから見た光パスリンクコストが最小となる経路を探索することで行い，光パスの新設は，当該パケットトラフィックがあらかじめ規定されたホップ数以内の既設光パスで目的地に到達することが不可能な場合に初めて行う一方で，
高優先トラフィックに対しては，前記光ネットワークから見たファイバリンクコストが最小となる経路を探索することで行い，光パスの新設は，収容パケットトラフィックがあらかじめ規定されたホップ数以内の既設光パスで目的地に到達することが不可能な場合に初めて行う
ことを特徴とする光パス新設方法。
【発明の詳細な説明】
【０００１】
【発明の属する技術分野】
本発明は，光クロスコネクト装置で実現される大容量光パスネットワークと，ＩＰルータ等をはじめとするＬａｙｅｒ２／３スイッチで実現されるサービスネットワークとの協調動作を実現するために必要な光パス新設方法に関する。
【０００２】
【従来の技術】
インターネット等のデータ通信トラフィックの増大により，現状でＴｂｉｔ／ｓ，近い将来には１０〜１００Ｔｂｉｔ／ｓ以上のスループットを有するノード装置の導入が進められようとしている。この程度の大規模な転送能力を有するノード装置を実現する手段として，インターネットで主流の通信プロトコルであるＴＣＰ／ＩＰパケットを処理するパケットスイッチ（ＰＳＣ： Packet Switch Capable）と，光パスをルーティング処理する光スイッチ（ＬＳＣ： Lambda Switch Capable）が連携して動作するフォトニックルータ［文献：k.Shimano ，A.Imaoka，Y.Takigawa，and K.-l.Sato ，in Technical Digest of NFOEC'2001 ，Vol.1 p. 5，July.2001.］が有力である。このフォトニックルータを用いることにより，パケットスイッチ（ＰＳＣ）で構成される従来型のＩＰネットワークと，光スイッチ（ＬＳＣ）で構成される大容量光パスネットワーク（以下，光ネットワークという）をより密に連携させることが可能になる。
【０００３】
【発明が解決しようとする課題】
ところが，このようなノード装置を用いて上述のＩＰネットワークと光ネットワークとを連携動作させる場合，自律的な光パスを新設する方法がネットワーク資源を有効活用する上で重要なポイントになる。しかし，下位ネットワーク（ＩＰネットワーク）と上位ネットワーク（光ネットワーク）とが共に動的かつ自律分散的に動作し，これらを連携させるといったネットワークの構築に関する研究は，最近になって行われ始めたもので，パケットトラフィック変動に追随して動的に光パスを新設する方式は実用化されていない。
【０００４】
本発明は，上記課題の解決を図り，パケットトラフィックの収容要求に応じたダイナミックな光パスの新設を可能とし，かつネットワークの負荷状態に応じて最適な光パスの新設を行えるようにすることを目的とする。
【０００５】
【課題を解決するための手段】
上記課題を解決するため，第１の発明は，光パスリンクとパケットスイッチとで構成されるパケットネットワークと，前記パケットネットワークを収容しファイバリンクと光スイッチとで構成される光ネットワークとからなる複数階層ネットワークにおいて光パスを新設する方法であって，特定対地間パケットトラフィックの収容を，低優先トラフィックと高優先トラフィックの二つのトラフィックの優先度に応じて変化させ，低優先トラフィックに対しては，前記パケットネットワークから見た光パスリンクコストが最小となる経路を探索することで行い，光パスの新設は，当該パケットトラフィックが既設光パスで目的地に到達することが不可能な場合に初めて行う一方で，高優先トラフィックに対しては，前記光ネットワークから見たファイバリンクコストが最小となる経路を探索することで行い，光パスの新設は，当該パケットトラフィック経路上の既設光パスで目的地に到達することが不可能な場合に初めて行うことを特徴とする。
【０００７】
第２の発明は，光パスリンクとパケットスイッチとで構成されるパケットネットワークと，前記パケットネットワークを収容しファイバリンクと光スイッチとで構成される光ネットワークとからなる複数階層ネットワークにおいて光パスを新設する方法であって，特定対地間パケットトラフィックの収容を，低優先トラフィックと高優先トラフィックの二つのトラフィックの優先度に応じて変化させ，低優先トラフィックに対しては，前記パケットネットワークから見た光パスリンクコストが最小となる経路を探索することで行い，光パスの新設は，当該パケットトラフィックがあらかじめ規定されたホップ数以内の既設光パスで目的地に到達することが不可能な場合に初めて行う一方で，高優先トラフィックに対しては，前記光ネットワークから見たファイバリンクコストが最小となる経路を探索することで行い，光パスの新設は，収容パケットトラフィックがあらかじめ規定されたホップ数以内の既設光パスで目的地に到達することが不可能な場合に初めて行うことを特徴とする。
【００１０】
【発明の実施の形態】
本発明の実施の形態に係るネットワークシステムの構成例を図１に示す。本実施の形態は，パケットスイッチ２と光パス４（４′）による光パスリンクで構成されるパケットネットワーク７と，光スイッチ３とファイバ５によるファイバリンクで構成される光ネットワーク８とで構成される多階層ネットワークを前提としている。なお，パケットネットワーク７は，パケット・セルスイッチネットワークであり，インターネットの場合にはＩＰネットワークである。図中の４は実際に信号が流れる経路の光パス（リンク）であり，４′はパケットネットワークから見た光パスのリンクを表している。６はトラフィックを表す。
【００１１】
このような多階層ネットワークは，パケットスイッチ２と光スイッチ３とが統合的に実装されたフォトニックルータ１（１−１〜１−４）で構成することが可能である。
【００１２】
このフォトニックルータ１は，図２に示すように，パケットスイッチ２，光スイッチ３と，これらを統合管理する統合制御装置（ＧＭＰＬＳコントローラ）１０で構成される。各フォトニックルータ１の統合制御装置１０間は，制御信号回線を通じて互いに制御信号が交換される。
【００１３】
光スイッチ３は，１２８×１２８スイッチが用いられており，光パスが３２波長多重されたファイバリンクを４本入出力する能力を有する。各光パスの伝送速度は，２．５Ｇｂｉｔ／ｓであり，ＳＯＮＥＴ  ＯＣ−４８インタフェースで終端される。
【００１４】
制御信号回線は，１５５Ｍｂｉｔ／ｓの伝送速度を有するＳＯＮＥＴ  ＯＣ−３回線で構成されており，これを伝播する制御信号は，例えばフォトニックルータネットワークのネットワークトポロジーを取得するためのＯＳＰＦ／ＩＳ−ＩＳプロトコルパケットであったり，パケットスイッチ間で設定される光パスを設定・解除するＲＳＶＰ−ＴＥ／ＣＲ−ＬＤＰプロトコル，各ファイバリンクの障害監視を行うＬＭＰ（Link Management Protocol）パケットであったりする。
【００１５】
したがって，各フォトニックルータ１の統合制御装置１０は，これら制御信号プロトコルを処理する機能部を実装しており，ルーティング処理機能部（ＯＳＰＦ／ＩＳ−ＩＳプロトコル処理機能）２０，光パス設定管理機能部（ＲＳＶＰ−ＴＥ／ＣＲ−ＬＤＰプロトコル処理機能）３０，光ファイバおよび隣接ノードのリンク障害管理機能部（ＬＭＰプロトコル処理機能）４０で構成されている。
【００１６】
ルーティング処理機能部２０は，フラッディング部２１と，リンク状態データベース（ＤＢ）２２と，拡張リンク状態データベース（ＤＢ）２３と，スイッチング・キャパビリティ（Switching Capability）監視部２４と，経路計算部２５と，ネクストホップ・データベース（ＤＢ）２６とを備える。
【００１７】
フラッディング部２１は，自ノードおよび他ノードから収集されたリンク状態情報を隣接ノードに通知する機能部である。リンク状態ＤＢ２２および拡張リンク状態ＤＢ２３は，他ノードから収集されたリンク情報を保持するデータベースであり，リンク状態ＤＢ２２には，光パスリンク状態情報が格納され，拡張リンク状態ＤＢ２３には，ファイバリンク状態情報が格納されている。
【００１８】
ここで，リンク状態ＤＢ２２に格納される光パスリンク状態情報とは，具体的には，２つのパケットスイッチを接続しかつファイバリンクに収容される光パスリンクの空き情報およびコスト情報である。また，拡張リンク状態ＤＢ２３に格納されるファイバリンク状態情報とは，具体的には，２つの光スイッチを接続するファイバリンクの空き情報およびコスト情報である。
【００１９】
スイッチング・キャパビリティ監視部２４は，自ノードのスイッチ状態を監視する機能部である。例えば自ノードのスイッチに，光パスを光スイッチ３に設定する機能だけでなく，光パスをパケットスイッチ２に収容する容量が存在する場合には，パケットスイッチ／光スイッチのスイッチング能力が存在することを他ノードに対して広告する。
【００２０】
経路計算部２５は，リンク状態ＤＢ２２から設定される光パス（ＯＬＳＰ）およびパケットスイッチ２でスイッチされる論理パス（ＬＳＰ）もしくはパケットの転送経路計算を行う。
【００２１】
ネクストホップＤＢ２６は，経路計算の結果が格納されているデータベースであり，各ノードに到達するにはどのインタフェースにパケットを転送すればよいかといった情報を格納している。
【００２２】
光パス設定管理機能部３０は，光パス情報が格納されているパスデータベース（ＤＢ）３１と，光パスの設定・削除を行うパス設定削除機能部３２を持つ。また，リンク障害管理機能部４０は，光ファイバおよび隣接ノードの状態情報を持つリンク・隣接ノード状態データベース（ＤＢ）４１と，他のノードからの広告情報を監視しリンク障害の検出などを行う監視信号処理機能部４２を持つ。
【００２３】
前述のルーティング処理機能部２０により，各レイヤのネットワークに対して，それぞれリンクコストが定義されている。つまり，ルーティング処理機能部２０は，２つの光スイッチを接続するファイバリンクのコスト，２つのパケットスイッチを接続しかつ前記ファイバリンクに収容される光パスリンクのコストの各々を定義している。これらのコストにより，ファイバリンクに収容される光パスのコストおよび光パスリンクに収容されるパケットトラフィックの転送コストがダイクストラ（Dijkstra）アルゴリズムにより計算され，パケットトラフィックは，当該トラフィックの始点−終点間でコストの総和が最小となるようなルートで転送処理され，光パスは，設定される始点−終点区間でコストが最小となるルートで設定される。
【００２４】
ここで，ファイバリンクのコストは，各ファイバ区間の距離，ファイバリンクの容量の逆数（収容可能な光パス数の逆数），もしくは実際の建設に要した費用，といった値を用いて割り当てられる。その一方，２つのパケットスイッチ間で設定される光パスリンクのコストは，各光パスの伝送速度の逆数，もしくは当該光パスを収容するファイバリンクコストの総和とある定数の乗算の値を用いて割り当てられる。このように，同一経路上のファイバリンクと光パスリンクのコストは，異なった値で定義されるのが一般的である。
以下，本発明に関連する要素技術を実施の形態として説明する。
【００２５】
〔実施の形態１〕
本実施の形態では，図１に示したようなネットワークにおいて特定対地間パケットトラフィックの収容要求が生じると，まずパケットネットワーク７から見た最短経路（最小光パスリンクコスト経路）を探索する。既設光パスで目的地に到達することが可能な場合には，その経路でパケットトラフィックを収容し，不可能な場合に光パスを新設する。
【００２６】
図３は実施の形態１を説明する図，図４は実施の形態１のフローチャートである。
【００２７】
図３において，各フォトニックルータ１−１〜１−５をＮｏｄｅ＃１〜Ｎｏｄｅ＃５として説明する。後述する他の実施の形態も同様である。ＯＬＳＰ＃１は，Ｎｏｄｅ＃１とＮｏｄｅ＃４とを結ぶ光パス，ＯＬＳＰ＃２は，Ｎｏｄｅ＃４とＮｏｄｅ＃５とを結ぶ光パス，ＯＬＳＰ＃３は，Ｎｏｄｅ＃５とＮｏｄｅ＃３とを結ぶ光パス，ＯＬＳＰ＃４は，Ｎｏｄｅ＃１とＮｏｄｅ＃２とを結ぶ光パス，ＯＬＳＰ＃５は，Ｎｏｄｅ＃１とＮｏｄｅ＃３とを結ぶ光パスである。
【００２８】
光パスリンクのコストは，ＯＬＳＰ＃１〜ＯＬＳＰ＃４については，それぞれ「１０」，ＯＬＳＰ＃５については「４０」となっている。
【００２９】
また，ファイバリンクのコストは，Ｎｏｄｅ＃１とＮｏｄｅ＃２間，Ｎｏｄｅ＃２とＮｏｄｅ＃３間，Ｎｏｄｅ＃１とＮｏｄｅ＃４間，Ｎｏｄｅ＃４とＮｏｄｅ＃５間がそれぞれ「５０」であり，Ｎｏｄｅ＃５とＮｏｄｅ＃３間が「２０」となっている。
【００３０】
例えば，Ｎｏｄｅ＃１とＮｏｄｅ＃３との間でパケットトラフィックの収容要求が発生したとすると，Ｎｏｄｅ＃１とＮｏｄｅ＃３とを結ぶ既設光パスの光パスリンクコストが最小となるルートを検索する（ステップＳ１１）。既設の光パスで終点ノード（Ｎｏｄｅ＃３）までのルートがなければ，すなわち終点ノードまでのコストが無限大であれば，ステップＳ１４へ進む。ルートがあれば，その検索ルートの光パスにパケットトラフィックを収容し，パケットを転送する（ステップＳ１３）。
【００３１】
Ｎｏｄｅ＃３に到達する光パスがなかった場合，ファイバリンクも含めてＮｏｄｅ＃１からＮｏｄｅ＃３までのコストが最小となるルートを検索する（ステップＳ１４）。ルートが見つかれば（ステップＳ１５），そのルートにおいて光パスを新設し，新設した光パスにパケットトラフィックを収容してパケットを転送する（ステップＳ１６）。ファイバリンクを含めても終点ノード（Ｎｏｄｅ＃３）までのルートがなければ，すなわち終点ノードまでのコストが無限大であれば，パケットの転送をブロックまたはパケットを廃棄する（ステップＳ１７）。
【００３２】
以上の図４に示す処理により，図３の例では，図中に示した優先順位でパケットトラフィックが収容される。すなわち，Ｎｏｄｅ＃１からＮｏｄｅ＃３までの光パスリンクとして，Ｎｏｄｅ＃１−＃４−＃５−＃３のルートと，Ｎｏｄｅ＃１−＃３（＃２経由）のルートがあり，前者の光パスリンクコストは「３０」（ＯＬＳＰ＃１，＃２，＃３のコストの和）であり，後者の光パスリンクコストは「４０」（ＯＬＳＰ＃５のコスト）であるため，順位１（Ｎｏｄｅ＃１−＃４−＃５−＃３のルート），順位２（Ｎｏｄｅ＃１−＃３（＃２経由）のルート）の順でパケットトラフィックが光パスに収容され，これらの光パスの空き容量が不足した段階で光パスが新設される。
【００３３】
光パスを新設する際には，以下の２つの場合を設定できる。
・Ｃａｓｅ（ａ）：収容するパケットトラフィックの対地間に一致した区間で光パスを新設する。
・Ｃａｓｅ（ｂ）：新設する光パスのコストが最小となるような区間で光パスを新設し，当該光パスを用いるルートにパケットトラフィックを収容する。
【００３４】
図３の（ａ）の場合は，上記Ｃａｓｅ（ａ）：の場合を示しており，Ｎｏｄｅ＃１−＃３（＃２経由）のルートに光パスが新設される。
【００３５】
一方，図３の（ｂ）の場合は，上記Ｃａｓｅ（ｂ）：の場合を示しており，Ｎｏｄｅ＃２−＃３の間に光パスを新設し，その光パスを用いるルートにパケットトラフィックが収容される。すなわち，Ｎｏｄｅ＃１−＃２−＃３のルートとなる。
【００３６】
この方法により，パケットトラフィックの収容要求に応じたダイナミックな光パスの新設が可能となる一方，特定対地間で十分なトラフィックが存在しない場合でも，当該対地間に対して光パスが自律的に新設されるのを防ぐことができ，ネットワーク全体で必要となるファイバリンクおよび光スイッチ容量を低減することができる。
【００３７】
〔実施の形態２〕
図５は実施の形態２を説明する図，図６は実施の形態２のフローチャートである。
【００３８】
実施の形態２では，ＯＬＳＰホップ数の制限を考慮して経路探索を行う。ここでは，特定対地間パケットトラフィックの収容要求が生じると，まずパケットネットワーク７から見た最短経路（最小光パスリンクコスト経路）を探索する。ホップ数が規定数以内の既設光パスで目的地に到達することが可能な場合には，その経路でパケットトラフィックを収容し，不可能な場合に光パスを新設する。
【００３９】
図５の例では，実施の形態１と同様に，Ｎｏｄｅ＃１からＮｏｄｅ＃３への最小光パスリンクコスト経路を探索するが，Ｎｏｄｅ＃１−＃４−＃５−＃３のルートは，ＯＬＳＰホップ数が規定数を超えるため，パケットトラフィックの収容は「禁止」となり，Ｎｏｄｅ＃１−＃３（＃２経由）のルートが順位１となっている。パケットトラフィックがこの順位１のルートの光パスに収容され，この光パスの空き容量が不足した段階で光パスが新設される。
【００４０】
図６に示す実施の形態２のフローチャート（ステップＳ２１〜Ｓ２７）は，図４に示す実施の形態１のフローチャート（ステップＳ１１〜Ｓ１７）とほぼ同様であるが，ステップＳ２２およびステップＳ２５のルート検索の結果の判定において，検索ルートがＯＬＳＰホップ数の制限を超えた場合に，既設光パスで目的地に到達することが不可能であると扱う点が実施の形態１と異なる。
【００４１】
この実施の形態２では，実施の形態１に比べて中継光パス（すなわち中継パケットスイッチノード）数を抑制することが可能となり，パケットスイッチノードの転送処理負荷を軽減することが可能となる。
【００４２】
光パスを新設する際には，図５に示す（ａ）の場合と（ｂ）の場合のように，以下の２つの場合を設定できる。
・Ｃａｓｅ（ａ）：収容するパケットトラフィックの対地間に一致した区間で光パスを新設する。
・Ｃａｓｅ（ｂ）：規定の中継光パス（すなわち中継パケットスイッチノード）数を満足する範囲内で新設する光パスのコストが最小となるような区間で光パスを新設し，当該光パスを用いるルートにパケットトラフィックを収容する。
【００４３】
〔実施の形態３〕
図７は実施の形態３を説明する図，図８は実施の形態３のフローチャートである。
【００４４】
実施の形態３では，特定対地間パケットトラフィックの収容要求が生じると，まず光ネットワーク８から見た最短経路（最小ファイバリンクコスト経路）を探索する。この点がパケットネットワーク７から見た最短経路（最小光パスリンクコスト経路）を探索する実施の形態１と異なる。この経路上の既設光パスで目的地に到達することが不可能な場合に初めて光パスを新設する。
【００４５】
図８に示すフローチャートに従って説明する。例えばＮｏｄｅ＃１とＮｏｄｅ＃３との間でパケットトラフィックの収容要求が発生したとすると，Ｎｏｄｅ＃１とＮｏｄｅ＃３とを結ぶ既設光パスのファイバリンクコストが最小となるルートを検索する（ステップＳ３１）。既設のファイバで終点ノード（Ｎｏｄｅ＃３）までのルートがなければ，すなわち終点ノードまでのファイバリンクコストが無限大であれば，ステップＳ３６へ進む。
【００４６】
ルートがあれば，その検索ルートに対応した既設の光パスがあるかどうかを判定し（ステップＳ３３），光パスがあれば，その光パスにパケットトラフィックを収容し，検索ルートでパケットを転送する（ステップＳ３４）。検索ルートに対応した既設の光パスがなければ，光パスの不足区間で光パスを新設し，その光パスにパケットトラフィックを収容してパケットを転送する（ステップＳ３５）。
【００４７】
終点ノードに到達可能なファイバリンクがなければ，既設光パスリンクも含めてルートを検索する（ステップＳ３６）。その結果，終点ノードまで到達することが不可能であれば（ステップＳ３７），ステップＳ３９へ進む。終点ノードまで到達可能なルートがあれば，その検索ルートでパケットを転送する（ステップＳ３８）。この際に，検索ルート上に光パスの不足区間があれば，その区間で光パスを新設する。どのルートでも終点まで到達できない場合には，パケットの転送をブロックまたはパケットを廃棄する（ステップＳ３９）。
【００４８】
以上の図８に示す処理により，図７に示す優先順位でパケットトラフィックが収容されることになる。
【００４９】
この実施の形態３では，実施の形態１，２に比べてパケットトラフィックを収容するルート（経路）が最小ファイバリングコスト経路に一致するようになるため，光ネットワークリソースの無駄使いを低減させることが可能になる。
【００５０】
光パスを新設する際には，図７に示す（ａ）の場合と（ｂ）の場合のように，以下の２つの場合を設定できる。
・Ｃａｓｅ（ａ）：収容するパケットトラフィックの対地間に一致した区間で光パスを新設する。
・Ｃａｓｅ（ｂ）：新設する光パスのコストが最小となるような区画で光パスを新設し，当該光パスを用いるルートにパケットトラフィックを収容する。
【００５１】
〔実施の形態４〕
図９は実施の形態４を説明する図，図１０は実施の形態４のフローチャートである。
【００５２】
実施の形態４では，特定対地間パケットトラフィックの収容要求が生じると，まず光ネットワーク８から見た最短経路（最小ファイバリンクコスト経路）を探索する。ホップ数が規定数以内の既設光パスで目的地に到達することが可能な場合には，この経路上の既設光パスにパケットトラフィックを収容し，それが不可能な場合に光パスを新設する。
【００５３】
図１０に示す実施の形態４のフローチャート（ステップＳ４１〜Ｓ４９）は，図８に示す実施の形態３のフローチャート（ステップＳ３１〜Ｓ３９）とほぼ同様であるが，ステップＳ４３における検索ルートに対応した光パスの有無の判定において，ＯＬＳＰホップ数の制限を考慮する点が異なる。また，ステップＳ４７の判定において，ステップＳ４６で検索した検索ルートがＯＬＳＰホップ数の制限を超える場合に，パケットトラフィックの収容が可能なルートがないと判断する点が異なる。
【００５４】
実施の形態４は，実施の形態３に比べて中継光パス（すなわち中継パケットスイッチノード）数を抑制することが可能となり，パケットスイッチノードの転送処理負荷を軽減することが可能となる。
【００５５】
光パスを新設する際には，以下の２つの場合を設定できる。
・Ｃａｓｅ（ａ）：収容するパケットトラフィックの対地間に一致した区間で光パスを新設する。
・Ｃａｓｅ（ｂ）：規定の中継光パス（すなわち中継パケットスイッチノード）数を満足する範囲内で新設する光パスのコストが最小となるような区間で光パスを新設し，当該光パスを用いるルートにパケットトラフィックを収容する。
【００５６】
〔実施の形態５〕
図１１は実施の形態５を説明する図，図１２は実施の形態５のフローチャートである。
【００５７】
実施の形態５では，特定対地間パケットトラフィックの収容要求が生じると，当該トラフィックの対地に一致した光パスを新設する。図１１と図１２を用いて説明する。
【００５８】
例えば，図１１において，Ｎｏｄｅ＃１とＮｏｄｅ＃３との間でパケットトラフィックの収容要求が発生したとすると，Ｎｏｄｅ＃１とＮｏｄｅ＃３とを結ぶファイバリンクコストが最小となるルートを検索する（ステップＳ５１）。ファイバリンクで終点ノード（Ｎｏｄｅ＃３）までのルートがなければ，すなわち終点ノードまでのコストが無限大であれば，ステップＳ５４へ進む。ルートがあれば，その検索ルートのファイバリンクに光パスを新設し（図１１の順位１），パケットトラフィックを収容してパケットを転送する（ステップＳ５３）。
【００５９】
Ｎｏｄｅ＃３に到達するファイバリンクがなかった場合，既設光パスリンクも含めてＮｏｄｅ＃１からＮｏｄｅ＃３までのコストが最小となるルートを検索する（ステップＳ５４）。この際に，必要に応じてＯＬＳＰホップ数の制限を考慮する。Ｎｏｄｅ＃３に到達するルートが見つかれば（ステップＳ５５），そのルートでパケットを転送する（ステップＳ５６）。既設光パスリンクを含めても終点ノード（Ｎｏｄｅ＃３）までのルートが見つからなければ，パケットの転送をブロックまたはパケットを廃棄する（ステップＳ５７）。
【００６０】
この実施の形態５は，上述した実施の形態１〜４と異なり，パケットトラフィックが収容される経路がファイバリンク上の最短経路に一致する確率が高くなる。また，パケットスイッチは自ノードで終端されるトラフィックのみをハンドリングすることになるため，転送処理負荷を大幅に軽減することが可能となる。
【００６１】
また，この実施の形態５に変形を加え，ステップＳ５５で課したＯＬＳＰホップ数の制限が１以外となる場合も許容してよい。これにより，ネットワークが混雑し，光パスの新設，さらにはＯＬＳＰ・１ホップでパケットトラフィックを転送できなくなった場合でも，トラフィックの収容を担保できるようになり，通信事業者にとっては増収要因となる。
【００６２】
なお，これら実施の形態１〜５は，ネットワークの状態，収容するパケットトラフィックのサービスクラスに応じて，いくつかを組み合わせて実施することが可能である。
【００６３】
例えば，組み合わせて実施する形態として，高優先クラストラフィックに対しては，実施の形態５を適用し，低優先クラストラフィックに対しては，実施の形態１を適用するといった組合せが挙げられる。
【００６４】
【発明の効果】
以上説明したように，本発明によれば，パケットトラフィックの収容要求に応じたダイナミックな光パスの新設が可能となり，かつネットワークの負荷状態に応じて最適な光パス新設が行えるようになる。
【図面の簡単な説明】
【図１】本発明の実施の形態に係るネットワークシステムの構成例を示す図である。
【図２】本実施の形態で用いるフォトニックルータの例を示す図である。
【図３】実施の形態１を説明する図である。
【図４】実施の形態１のフローチャートである。
【図５】実施の形態２を説明する図である。
【図６】実施の形態２のフローチャートである。
【図７】実施の形態３を説明する図である。
【図８】実施の形態３のフローチャートである。
【図９】実施の形態４を説明する図である。
【図１０】実施の形態４のフローチャートである。
【図１１】実施の形態５を説明する図である。
【図１２】実施の形態５のフローチャートである。
【符号の説明】
１−１〜１−４  フォトニックルータ
２    パケットスイッチ
３    光スイッチ
４，４′  光パス
５    ファイバ
６    トラフィック
７    パケットネットワーク
８    光ネットワーク
【図１】
0003825341.tif 000002
【図２】
0003825341.tif 000003
【図３】
0003825341.tif 000004
【図４】
0003825341.tif 000005
【図５】
0003825341.tif 000006
【図６】
0003825341.tif 000007
【図７】
0003825341.tif 000008
【図８】
0003825341.tif 000009
【図９】
0003825341.tif 000010
【図１０】
0003825341.tif 000011
【図１１】
0003825341.tif 000012
【図１２】
0003825341.tif 000013